【事件の表示】
　特許第２９２９３１１号「パチンコ機」の請求項１に係る特許に対する特許異議の申立てについて、次のとおり決定する。
【結　論】
　訂正を認める。
　特許第２９２９３１１号の請求項１に係る特許を維持する。
【理　由】
１．手続の経緯
　特許第２９２９３１１号の請求項１に係る発明は、平成２年７月１１日に特許出願され、平成１１年５月２１日にその設定登録がなされたところ、細江裕実より特許異議の申立がなされ、平成１２年７月３１日付けで取消理由通知がなされ、その指定期間内である平成１２年１０月６日に訂正請求がなされたものである。
２．訂正の適否についての判断
（１）訂正の内容
ア．訂正事項ａ
【請求項１】を下記のように訂正する。
 「【請求項１】遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたことを特徴とするパチンコ機。」
イ．訂正事項ｂ
明細書の第３頁第６〜１８行の「（課題を解決するための手段）本発明は上記に鑑み提案されたもので、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に関連させたことを特徴とする。」を、「（課題を解決するための手段）本発明は上記に鑑み提案されたもので、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたことを特徴とする。」と訂正する。 
ウ．訂正事項ｃ 
 明細書の第２８頁第１５行〜第２９頁第１５行の「（発明の効果）以上要するに本発明は、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に関連させたので、上記権利スイッチの出力に基づいて権利状態を変化させることができ、この権利状態によって特別入賞口の入賞確率が変動するので、特別遊技の継続が容易になったり、獲得する賞球数が多くなったり、或いは継続は容易であるが賞球はあまり期待できなかったり、変化に富むゲームを行なうことが可能となり、この変化も予測難いので、遊技者に飽きられることのない興趣あるパチンコ機を提供する」を「（発明の効果）以上要するに本発明は、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたので、上記権利スイッチの出力に基づいて権利状態を変化させることができ、この権利状態によって特別入賞口の入賞確率が変動するので、特別遊技の継続が容易になったり、獲得する賞球数が多くなったり、或いは継続は容易であるが賞球はあまり期待できなかったり、変化に富むゲームを行なうことが可能となり、この変化も予測難いので、遊技者に飽きられることのない興趣あるパチンコ機を提供する。」と訂正をする。
（２）訂正の目的の適否、新規事項の有無及び拡張・変更の存否
　訂正事項ａは訂正前の請求項１に記載された「遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に関連させたことを特徴とするパチンコ機」を「遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたことを特徴とするパチンコ機」として明細書及び図面に記載されていた実施例に即して下位概念に限定したものであり、特許請求の範囲の減縮を目的とし、訂正事項ｂ、ｃは前記特許請求の範囲の減縮に伴って、減縮された特許請求の範囲の記載と発明の詳細な説明の記載とを整合させるための明瞭でない記載の釈明を目的とし、これらの訂正事項は、願書に最初に添付した明細書又は図面に記載された事項の範囲内のものであって、実質的に特許請求の範囲を拡張又は変更するものではない。
（３）むすび
　したがって、上記訂正は特許法第１２０条の４第３項で準用する１２６条第２、３項の規定に適合するので、当該訂正を認める。      
３．特許異議の申立についての判断
（１）申立ての理由の概要
　異議申立人細江裕実は、特許第２９２９３１１号の請求項１に係る発明に対して、証拠として下記の甲第１〜３号証を提出し、本件の請求項１に係る発明は、甲第１号証に記載された発明であり、特許法第２９条第１項第３号に規定する発明に該当し、また、甲第１号証に甲第２号証または甲第３号証を適用することにより、当業者が容易に発明をすることができたものであるから、特許法第２９条第２項の規定に該当し、本件の請求項１に係る発明の特許は、特許法第１１３条第２項の規定により取り消されるべきものである旨主張している。
   甲第１号証：特開昭６３−２３８８９１号公報
 　甲第２号証：特開昭６３−１５４１８８号公報
   甲第３号証：特開昭６４−４９５９０号公報
（２）本件の請求項１に係る発明 
  上記２．（３）で示したように上記訂正が認められるから、本件の請求項１に係る発明（以下、「本件発明」という。）は、上記訂正に係る訂正明細書の特許請求の範囲の請求項１に記載された事項に特定されるとおりのものである。（上記２．（１）ア．訂正事項ａ参照）
（３）引用刊行物に記載された発明
　甲第１号証（特開昭６３−２３８８９１号公報、以下、「引用例１」という。）には、以下の事項が記載されている。 
ア「遊技盤表面に取付ける基板に凹室を形成し、該凹室内に一般入賞口と特別入賞口と特定入賞口を形成するとともに、凹室内に流入した球が特別入賞口に入り難い状態となる第１状態と球が特別入賞口に入り易い状態となる第２状態とに変換する内部可動体を設け、特別入賞口の下流側には特別入賞検出器を、特定入賞口の下流側には特定入賞検出器を各々臨ませ、特別入賞検出器が特別入賞口に入った球を検出すると可動球受部材を作動させて球が入賞し易い遊技状態に変換し、特定入賞検出器が特定入賞口に入った球を検出すると上記内部可動体を第１状態から第２状態に変換して特別入賞口への入賞の確率を高めるようにしたことを特徴とするパチンコ機の入賞装置。」（第１頁左欄第５行〜第１８行）
イ「球が特定入賞口に入ると、特定入賞検出器がこの球を検出して制御装置に信号を送り、制御装置が内部可動体を第１状態から第２状態に変換する。したがって、凹室内に流入した球が特別入賞口に入り易くなり、特定入賞口への入賞確率が高められる。」（第２頁右上欄第４行〜第９行）
ウ「両可動翼片１２、１２は、ソレノイド２４が消磁した状態においてはソレノイド２４のスプリング等の付勢により第２図鎖線で示すように、起立して遊技部３内を流下してくる球を凹室１８内に流入させない第１状態となり、制御装置からの通電によりソレノイド２４を励磁すると、両可動翼片１２、１２が第２図実線で示すように開いて遊技部３内を流下してきた球を可動翼片１２、１２により受け止めて凹室１８内に流入させる第２状態に変換する。」（第２頁右下欄第８行〜第１８行）
エ「内部可動体１９が下降した第１状態では、この内部可動体１９が障害物として機能し、可動翼片１２、１２上を流下した球が直接特別入賞口１５に入ることを阻止している。」（第３頁右上欄第６行〜第１０行）
オ「内部可動体１９が上昇した第２状態に変換すると、可動翼片１２、１２上の球が特別入賞口１５に入り易い状態に変換される。」（第３頁左下欄第９行〜第１１行）
カ「傾斜底面２０上を流下した球が一般入賞口１６、１６に入った場合には所定数の賞球が上皿に排出されて」（第４頁左上欄第９行〜第１１行）
キ「傾斜底面２０上を流下する球が特定入賞口２１に入ると、特定入賞検出器２２がこの球を検出して制御装置に信号を送る。この信号を受けた制御装置は、前記した様に、モータ３１を作動して内部可動体１９を上昇し、可動翼片１２、１２上を流下した球が直接特別入賞口１５や一般入賞口１６、１６に落下し得る第２状態に変換する。この様にして内部可動体１９が第２状態に変換すると、遊技部３内を流下してきた球が可動翼片１２、１２から特別入賞口１５に入る確率が大幅に高められる。したがって、サイクル更新の条件が成立し易くなり、遊技者は特別遊技のメリットを充分に活用して大量の賞球を獲得することができる。なお、本実施例では内部可動体１９が第２の状態にあるときに特定入賞口２１に入賞すると内部可動体１９を第１状態に復帰するようにしてある。」（第４頁右上欄１４行〜左下欄第１０行）
ク「なお、内部可動体１９の変換を、球が復帰入賞口（例えば、第１図における入賞口７）に入った場合に第１状態に復帰する様にしてもよい。」（第４頁右下欄２行〜第４行）  　　
　甲第２号証（特開昭６３−１５４１８８号公報、以下、「引用例２」という。）には、以下のような事項が記載されている。
ケ「（１）球体を用いて遊技する弾球遊技機であって、遊技領域に設けられ、前記球体が入賞可能な特定入賞領域と、前記特定入賞領域へ球体が入賞したことに応じて所定の遊技価値を付与することが可能な遊技価値付与手段とを含む遊技機において、前記特定入賞領域への球体の入賞を制御するための制御手段を設けたことを特徴とする、弾球遊技機。」（第１頁左欄第５行〜第１４行）
コ「（５）前記制御手段は、前記特定入賞領域の入口手前に、球体の流れに変化を与えられるように設けられた流路変化部材を含むことを特徴とする、特許請求の範囲第１項記載の弾球遊技機。（６）前記弾球遊技機は、遊技者にとって有利な第１の状態および遊技者にとって不利な第２の状態に変化することのできる可変入賞球装置を含み、前記特定入賞領域は、前記可変入賞球装置内に備えられていることを特徴とする、特許請求の範囲第１項ないし第５項のいずれかに記載の弾球遊技機。」（第１頁右欄第８行〜第１９行）
サ「パチンコ遊技機１０には、遊技盤１２の中央部に可変入賞球装置１４が配設されている。」（第２頁右上欄第１行〜第２行）
シ「可変入賞球装置１４ａの１対の開閉翼片２０ａ、２０ｂは、実線の閉成状態から開成状態（図示せず）に開き実線の閉成状態に閉じるという一連の開閉動作を１回または２回行なうように制御される。開閉翼片２０ａ、２０ｂが開閉する間に可変入賞球装置１４ａの入賞空間２２内へパチンコ玉が入り、そのパチンコ玉が入賞空間２２下方中央部に設けられたＶポケット入賞口２４へ入賞したことが検出されると、その検出信号に基づいて開閉翼片２０ａ、２０ｂは連続して最高１８回開閉される。」（第２頁右上欄第１２行〜左下欄第２行）
ス「遊技盤１２の中央部には、開閉翼片２０ａ、２０ｂを有する可変入賞球装置１４が配設されている。可変入賞球装置１４は、図示のように、開閉翼片２０ａ、２０ｂが閉成した遊技者にとって不利な第２の状態と、開閉翼片２０ａ、２０ｂが開閉動作を行なう遊技者にとって有利な第１の状態とに変化することができる。」（第３頁左下欄第８行〜第１４行）
セ「開閉翼片２０ａ、２０ｂが、図示の実線状態ではパチンコ玉は入賞空間２２へ入ることはできないが、開成した状態では、落下するパチンコ玉は開閉翼片２０ａ、２０ｂで受止められ、入賞空間２２内へ導かれるようになっている。」（第３頁右下欄第５行〜第１０行）
ソ「入賞空間２２下方中央部には、Ｖポケット入賞口２４が形成され、その両側にそれぞれ通常入賞口２６ａ、２６ｂが形成されている。この実施例にかかる可変入賞球装置１４の特徴は、Ｖポケット入賞口２４の入口の上側に、すなわち入口の前段に、入賞制御部材３６ａ、３６ｂを設け、かつ、入賞制御部材３６ａ、３６を、それぞれ左右対称に横方向へ移動可能にしたことによって、１対の入賞制御部材３６ａ、３６ｂ間の空間の幅Ｗが変化し得るようにしたことである。このようにした結果、入賞制御部材３６ａ、３６ｂをそれぞれ外側へ移動させて一点鎖線で示すように両者の間隔Ｗを拡げた場合、Ｖポケット入賞口２４へのパチンコ玉の入賞が容易になる。逆に、入賞制御部材３６ａ、３６ｂを互いに近づけて実線の状態にした場合、両者の間隔Ｗが狭まり、Ｖポケット入賞口２４へのパチンコ玉の入賞が困難になる。したがって、入賞制御部材３６ａ、３６ｂの移動のさせ方によって、Ｖポケット入賞口２４へパチンコ玉を入賞しやすくしたりしにくくしたり任意に制御することができる。」（第３頁右下欄第１２行〜第４頁左上欄第１３行）
タ「なお、上述した入賞制御部材３６ａ、３６ｂの移動のための構成は一例であって、他の機構によって入賞制御部材３６ａ、３６ｂを移動させるようにしてもよい。たとえば、クランクやリンク部材の組合わせからなる機構や、ギャの組合わせからなる機構によっても構成することができる。（第４頁右上欄第２０行〜左下欄第５行）
チ「所定の入賞口へパチンコ玉が入賞したことに応じて、入賞制御部材３６ａ、３６ｂの幅が拡がりまたは入賞制御部材４６が所定方向へ移動しまたは入賞制御部材５５が上方へ移動し、あるいは突起６８が突出するようにし、次に同じ入賞口へパチンコ玉が入賞したことに応じて、入賞制御部材３６ａ、３６ｂの幅が狭まり、または入賞制御部材４６が逆方向へ動き、または入賞制御部材５５が下がり、あるいは突起６８が引込むようにすることができる。このように、パチンコ玉の所定入賞口への入賞に応じて各入賞制御部材を変化させることによって、パチンコ遊技機全体の遊技内容との関連性を高めて、入賞玉の狙い等を絞らせることができる面白味がある。」（第５頁左下欄第１３行〜右下欄第６行）
ツ「以上のように、この発明によれば、予め定められた所定の価値を付与することのできる特定入賞領域へのパチンコ玉の入賞を入賞制御部材によって制御することができるので、パチンコ遊技機における面白味を遊技者の好みに合わせて色々に変化させることができる効果がある。」（第６頁右下欄第６行〜第１１行）
　甲第３号証（特開昭６４−４９５９０号公報、以下、「引用例３」という。）には、以下のような事項が記載されている。
テ「遊技盤の表面にガイドレールで囲んだ遊技部を形成し、該遊技部内に、打球を受け入れない第１状態と打球を受け入れ易い第２状態とに変換可能な可動球受部材と、該可動球受部材が受け入れた打球を入賞とする一般入賞口並びに特別入賞口と、該特別入賞口に入賞する確率に変化を与える確率制御部材とを少なくとも備えた中央入賞装置と、打球が入賞すると、該打球を特定入賞検出器により検出して電気的制御装置に信号を送る特定入賞口と、を配設し、上記した特定入賞検出器から信号を受けた電気的制御装置より中央入賞装置の可動球受部材を第１状態から第２状態に変換し、打球が特別入賞口に入った打球を検出する特別入賞検出器からの信号により可動球受部材の状態を変換する特別遊技を行わせ、該特別遊技において確率制御部材を作動することにより特別遊技中における特別入賞口への入賞確率を制御するようにしたことを特徴とするパチンコ機。」（第１頁左欄第５行〜右欄第４行）
ト「中央入賞装置４は、遊技盤１の表面の取付ける取付基板８のほぼ中央に開口部９を開設し、該開口部９の上方の表面に開口部９の幅よりも僅かに横長な鎧部１０を突設し、該鎧部１０の下方には横長で棚板状の可動球受部材１１、１１を左右方向に移動自在に設け、該可動球受部材１１、１１の下方の開口部９の縁には阻止壁１２を上向き略コ字状に突設し、取付基板８の裏側には開口部９に連通する凹室１３を設け、該凹室１３内の正面壁部に特別遊技選択表示器１４を設け、凹室１３の下部中央に特別入賞口１５を、該特別入賞口１５の左右に一般入賞口１６、１６を夫々前向に開設し、特別入賞口１５の左右には確率制御部材１７を回動自在に臨ませてなる。」（第２頁左下欄第１９行〜右下欄第１２行）
ナ「左右の可動球受部材１１、１１は、常には第２図実線で示すように、開口部９の前方に相互に近づいて左側の可動球受部材１１の突部１８が鎧部１０の左側下端と阻止壁１２の左側上端との間の左球通過部１９に．右側の可動球受部材１１の突部１８が鎧部１０の右側下端と阻止壁１２の右側上端との間の右球通過部２０に夫々停止し、左右の球通過部１９、２０の有効高さを球径よりも小さくする。したがって、この状態では流下してきた打球が球通過部１９、２０を通過することができず、打球を特別入賞口１５や一般入賞口１６に入ることを阻止する第１状態となる。一方、第１駆動源の駆動により左右の可動球受部材１１、１１が夫々外側に移動すると、第２図点線で示すように、左側の可動球受部材１１の突部１８が左球通過部１９から外れて鎧部１０の左側に大きく突出するとともに、右側の可動球受部材１１の突部１８が右球通過部２０から外れて鎧部１０の右側に大きく突出する。したがって、この状態では流下してきた打球を可動球受部材１１、１１上に受け止めて球通過部１９、２０を通過させ、特別入賞口１５や一般入賞口１６に入賞させる第２状態となる。なお、本実施例における可動球受部材１１により受け止められた球は、球通過部１９、２０を通過した後、一旦凹室１３内に入ってから底面上を開口部９に向って転動し、特別入賞口１５又は一般入賞口１６に入賞するものと、可動球受部材１１の端部から直接特別入賞口１５又は一般入賞口１６に入賞するものとがある。」（第２頁右下欄第１７行〜第３頁右上欄第７行）
ニ「取付基板８の裏側に設けたモータ２８の作動によりカム２６を回転し、駆動軸２５の後端部分がカム２６の長径部分に圧接すると、第３図及び第４図実線で示すように、左右の球振分け部材２４、２４の間隔Ｌ１が最小となる。したがって、球が左右の球振分け部材２４、２４間を通る確率、即ち球が特別入賞口１５に入る確率が最小になる。そして、カム２６がほぼ９０度回転して駆動軸２５の後端部分がカム２６の短径部分に圧接すると、第４図点線で示すように、左右の球振分け部材２４、２４の間隔Ｌ２が最大となる。したがって、球が左右の球振分けの部材２４、２４を通る確率、即ち球が特別入賞口１５に入る確率が最大となる。この様に、カム２６を回転すると、左右の球振分け部材２４、２４の間隔をが拡大したり、縮小したりするので、この間隔に応じて特別入賞口１５への入賞確率を制御することができる。」（第３頁右上欄第１７行〜左下欄第１４行）
ヌ「また、第１３図に示す第３の実施例は、凹室１３内に設けた棚板４０の奥に３つの通過孔５２…を開設するとともに、中央の通過孔５２に球通過検出器５３を設け、凹室１３の底面を傾斜下端に特別入賞口１５、一般入賞口１６、１６を形成し、該特別入賞口１５上に所謂チューリップ状の確率制御部材１７を設けたものである。この確率制御部材１７は、ソレノイドの駆動により開閉する一対の可動片５４、５４を凹室１３の底面に向けて設けたものである。この確率制御部材１７は、常には第１３図実線で示すように、球が１個通過できる間隔に閉じている。したがって、この状態においては、可動球受部材１１、１１が第２状態に変換して受け入れた球が凹室１３内の棚板４０上を転動し、左右の通過孔５２から底面上に落下した場合、運良く可動片５４、５４の狭い間隔内に流下してきた球だけが特別入賞口１５に入賞する。一方、棚板４０上を転動してきた球が中央の通過孔を５２を通って球通過検出器５３により検出されると、該球通過検出器５３からの信号を受けた電気的制御装置がソレノイドを励磁して可動片５４、５４を第１３図点線の様に開く。可動片５４、５４が開くと、左右の可動片５４、５４の先端間隔が拡大される。したがって、広い範囲に亘って球を導入することができ、特別入賞口１５への入賞確率を高めることができる。なお、ソレノイドは電気的制御装置のタイマに設定した時間が経過すると消磁し、左右の可動片５４、５４を閉じる。この様に、本実施例に係る確率制御部材１７は、可動球受部材１１、１１が受け入れた球を球通過検出器５３が検出することを条件として変換し、特別入賞口１５への入賞確率を制御する。」（第７頁左上欄第１行〜右上欄第１３行）
ネ「パチンコ店の利益と遊技者の利益の調和を計りながら健全で興趣に富んだパチンコ遊技を可能となる。」（第７頁左下欄第３行〜第５行）  
（４）対比・判断
　本件発明と上記引用例１に記載された発明とを対比すると、
　引用例１記載の発明の「可動翼片１２」、「球を凹室１８内に流入させない第１状態」、「球が入賞し易い遊技状態」、「作動」、「中央入賞装置４」、「特別入賞検出器２３」、「特別入賞口１５」、「一般入賞口１６」、「内部可動体１９」、「特定入賞口２１」、「特定入賞検知器２２」はそれぞれ
　本件発明の「可動部材２６」、「遊技者に不利にゲームが展開する第１状態」、「遊技者に有利にゲームが展開する第２状態」、「可動」、「変動入賞装置１１」、「継続スイッチ」、「特別入賞口３２」、「一般入賞口３３」、「入賞確率変動装置３９」、「権利入賞口１４」、「権利スイッチ４７」に相当するから、
　両者は、
「遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に関連させたパチンコ機」である点で一致しているが、
　引用例１記載の発明は本件発明の「権利入賞口に臨ませた権利スイッチの出力に上記変動入賞装置が第２状態に変換する特別遊技中は当該権利スイッチを監視しないように関連させた」点を具備していない点で相違する。
　上記の点については、前記引用例２、３にも記載も示唆もされていない。
　かかる点により、本件発明は、明細書記載の「特別遊戯中は権利スイッチ４７を監視していないので、一旦、権利フラグがセットされると特別遊戯中に、権利が消滅することがなく、遊技者に極めて有利にゲームが展開する。」という作用効果を生じるものと認められる。
　したがって、本件発明は、甲第１号証に記載された発明であるとも、甲第１号証に記載された発明に甲第２号証または甲第３号証に記載された発明を適用することにより当業者が容易に発明をすることができたものであるともいえない。
　なお、異議申立人は、平成１２年１２月２１日付けで提出した審尋に関する回答書において「権利入賞口に臨ませた権利スイッチの出力に上記変動入賞装置が第２状態に変換する特別遊技中は当該権利スイッチを監視しないように関連させた」点は周知であると主張し、その証拠として甲第４号証（特開昭６２−２９０４８１号公報）、甲第５号証（特開昭６３−６３４８０号公報）、甲第６号証（特開昭６３−２３８８９２号公報）、甲第７号証（特開昭６３−３０２８７３号公報）を提示しているが、甲第４〜７号証に記載されたものには特別遊戯中に入賞口を監視しない点は記載あるいは示唆されているものの本件発明のように当該権利スイッチを監視しないようにする点は記載も示唆もされていない。したがって、上記証拠をもって、特別遊技中は権利スイッチを監視しない点が周知であるとはいえず、引用例１ないし３に記載された発明に甲第４〜７号証記載の発明を適用しても本件発明を想到することは容易とはいえない。
  ５．むすび
  以上のとおりであるから、特許異議申立人の理由及び証拠によっては、請求項１に係る発明の特許を取り消すことはできない。
　また、他に請求項１に係る発明の特許を取り消すべき理由を発見しない。　よって、結論のとおり決定する。  
【異議決定日】
平成１３年１月１２日（２００１．１．１２）
【訂正の要旨】
　１　訂正の内容
訂正事項ａ
　【請求項１】を下記のように訂正する。
　「【請求項１】遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたことを特徴とするパチンコ機。」
訂正事項ｂ
明細書の第３頁第６〜１８行の「（課題を解決するための手段）本発明は上記に鑑み提案されたもので、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に関連させたことを特徴とする。」を、「（課題を解決するための手段）本発明は上記に鑑み提案されたもので、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたことを特徴とする。」と訂正する。
訂正事項ｃ
明細書の第２８頁第１５行〜第２９頁第１５行の「（発明の効果）以上要するに本発明は、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に関連させたので、上記権利スイッチの出力に基づいて権利状態を変化させることができ、この権利状態によって特別入賞口の入賞確率が変動するので、特別遊技の継続が容易になったり、獲得する賞球数が多くなったり、或いは継続は容易であるが賞球はあまり期待できなかったり、変化に富むゲームを行なうことが可能となり、この変化も予測難いので、遊技者に飽きられることのない興趣あるパチンコ機を提供する」を「（発明の効果）以上要するに本発明は、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に上記変動入賞装置が第２状態に変換する特別遊技中は当該権利スイッチを監視しないように関連させたので、上記権利スイッチの出力に基づいて権利状態を変化させることができ、この権利状態によって特別入賞口の入賞確率が変動するので、特別遊技の継続が容易になったり、獲得する賞球数が多くなったり、或いは継続は容易であるが賞球はあまり期待できなかったり、変化に富むゲームを行なうことが可能となり、この変化も予測難いので、遊技者に飽きられることのない興趣あるパチンコ機を提供する。」と訂正をする。
（５４）【発明の名称】
パチンコ機
（５７）【特許請求の範囲】
　遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に
上記変動入賞装置が第２状態に変換する特別遊技中は当該権利スイッチを監視しないように
【発明の詳細な説明】
〈産業上の利用分野〉
　この発明は、遊技者に不利にゲームが展開する第１状態と、遊技者に有利にゲームが展開する第２状態とに変換可能なパチンコ機に関するものである。
〈従来の技術〉
　従来から、遊技者に不利にゲームが展開する第１状態と、遊技者に有利にゲームが展開する第２状態とに変換可能なパチンコ機は数多く提案されているが、この種のパチンコ機は一般に特定の入賞口に打球が流入すると、打球を受け入れ難い状態と打球を極めて受け入れ易い状態とに変換可能な変動入賞装置を、打球を極めて受け入れ易い状態に変換させ、当該変動入賞装置に設けた特別入賞口へ更に入球する等、所定の条件が成立した場合に、球を極めて受入れ易い状態（以下、サイクルという）を継続可能にしたものである。
　しかしながら、この種のパチンコ機は変化が単純で遊技者に飽きられているのが現状である。
〈発明が解決しようとする課題〉
　そこで、特開平１−１７０４８４号公報では、変動入賞装置に更新確率変更手段を設けて、サイクルの更新がされ難い状態と、サイクルの更新がされ易い状態とに変更可能なパチンコ機が提案されている。
　しかし、このパチンコ機にあっても、上記更新確率変更手段は、予め定めたパターンに従って変化するので、遊技者は変化を予測することが容易で飽き易い。
〈課題を解決するための手段〉
　本発明は上記に鑑み提案されたもので、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に
上記変動入賞装置が第２状態に変換する特別遊戯中は当該権利スイッチを監視しないように
〈作用〉
　遊技部に配設した権利スイッチの出力に基づいて特別入賞口の入賞確率が変動するので、特別遊技の継続が容易になったり、獲得する賞球数が多くなったり、或いは継続は容易であるが賞球はあまり期待できなかったり、変化に富むゲームを行なうことが可能である。
〈実施例〉
　以下、本発明を図面の実施例について説明する。
　第１図はパチンコ機１の正面図で、パチンコ機１の概略は、外枠２の一側に内枠３をヒンジにより開閉可能に蝶着すると共に、上記内枠３に開設した窓部に金枠４を設け、窓部の上方部分には遊技盤５を後方から臨ませ、窓部の下方部分には球を貯留する上受皿６を有する上受皿セットを設け、また内枠３の下方部分には発射杆（図示せず）を駆動して球を遊技盤５の表面のガイドレール７で囲まれる遊技部８内へ打ち込むためのグリップ９と上受皿６から溢れた球を貯留する下受皿１０等が配設された下受皿セットを設けてなる。
　また、上記遊技盤５表面のガイドレール７で囲まれた遊技部８には変動入賞装置１１と複数の始動口１２…とアウト口１３等が配設され、上記変動入賞装置１１の側方位置には権利入賞口１４が配設され、斜め下方位置には袖チューリップ式役物１５が配設される。更に適宜位置に風車１６或いはランプ風車１７や図示していない多数の障害釘が配設されている。一方、ガイドレール７の外側には、賞球排出表示灯１８や打止め表示灯１９など各種の表示装置が設けてあり、更に、内枠３の上縁部分には外部表示灯２０が設けてある。
　そして、遊技者が発射した球が変動入賞装置１１や袖チューリップ式役物１５等に入賞したときには賞球排出装置（図示せず）によって所定数の賞球が上受皿６へ排出され、いずれにも入賞しなかった球はアウト口１３に回収されるように構成されている。
　変動入賞装置１１は遊技盤５に取り付けるための取付基板２１を有し、該取付基板２１には開口部２２を設け、該開口部２２の周囲にはフランジ部２３を延設し、上記開口部２２の背面側には箱枠状のリヤケース２４を設けて、前方に向けて開口する凹室２５を形成してある。この凹室２５には、当該凹室２５と上記遊技部８とを連通可能に区画する可動部材として可動片２６を臨ませ、凹室２５と遊技部８とが連通状態にあるときに、遊技部８を流下する打球が凹室２５へ流入可能であり、遊技者に有利にゲームが展開する。
　上記取付基板２１の開口部２２の上方には鎧部２７を突出状に形成し、この鎧部２７には天入賞口２８を形成する。そして、この天入賞口２８へ流入した球は取付基板２１の後方へ誘導され、図示していない球寄せカバーに集合するようになっている。
　また、上記取付基板２１の開口部２２の下方部分の前面側に球受枠２９を延設すると共に、下装飾体３０を添設する。この下装飾体３０の内側には、仕切板３１を設けて、遊技者に有利にゲームが展開する特別遊技に移行可能となる特別入賞口３２と、通常の賞球を獲得することのできる一般入賞口３３とを形成し、上記特別入賞口３２には当該特別入賞口３２に流入した球を検出する継続スイッチ３４を臨ませる。尚、上記球受枠２９は可動片２６の下方まで延在して、当該可動片２６が起立した状態のときに遊技部８を流下する打球が凹室２５へ流入しないようになっている。また、特別入賞口３２及び一般入賞口３３へ流入した球を、図示していない上記球寄せカバーに集合する際にやはり図示していない１０カウントスイッチにより検出して、凹室２５へ流入する球数を計数する。
　一方、上記凹室２５内部の中段、即ち、可動片２６の回動軸３５とほゞ同じ高さ位置には、後方へ向いて緩く下り傾斜を有する上部傾斜板３６を設け、凹室２５を上凹室２５ａと下凹室２５ｂとに区画する。そして、この上部傾斜板３６の後隅部には落下口３７を設けて上凹室２５ａと下凹室２５ｂとを連通させ、可動片２６により上凹室２５ａに取り込まれた球が下凹室２５ｂへ落下するようにする。尚、上記落下口に１０カウントスイッチを臨ませて、上凹室２５ａがら下凹室２５ｂへ落下する際に凹室２５へ流入した球数を計数するようにしてもよい。
　上記凹室２５の下方部分には前端に向いて緩い下り傾斜を有する下部傾斜板３８を設ける。そして、この下部傾斜板３８の前縁には前記した特別入賞口３２と一般入賞口３３が位置する。また、この下部傾斜板３８には、特別入賞口３２の入賞確率に変化を与える入賞確率変動装置３９を臨ませる。
　この入賞確率変動装置３９は、例えばギヤ部４０を有する球受部材４１を上記した下部傾斜板３８の上面に位置するように凹室２５のリヤケース２４の側壁部４２に枢着すると共に、平面図形状がほゞコ字状の連動枠４３に上記ギヤ部４０と噛合可能なラック部４４を設け、この連動枠４３を凹室２５の側壁部４２に摺動ガイド部４５を介して摺動可能に取付け、上記連動枠４３に作動源として駆動用ソレノイド４６を連結して構成したものである。従って、駆動用ソレノイド４６を励磁すると連動枠４３が変動入賞装置１１の見込み方向に摺動して球受部材４１が側壁部４２に対して起立し、当該球受部材４１と側壁部４２との間に下部傾斜板３８上を転動ずる球を保留することができる（第４図中、二点鎖線の状態）。即ち、上記球受部材４１を保留部材として機能させることができる。
　一方、パチンコ機１の遊技部８には前述のように権利入賞口１４を設け、該権利入賞口１４へ連通する流下通路には権利スイッチ４７を臨ませて、当該権利入賞口１４へ入球した球を検出する。
　そして、上記権利スイッチ４７や特別入賞口３２に臨ませた継続スイッチ３４、或いは駆動用ソレノイド４６等は、例えば第５図のブロック図に示すようにＣＰＵ構成の電気的制御装置によって制御されている。尚、この電気的制御装置には遊技の進行状態を示す１０カウント表示灯や継続回数表示灯の駆動回路、或いは効果音等を発生する音声制御回路が設けてあり、更に図示していないがパチンコ機全般に亙る制御を司っている。
　次に、上記のような構成の変動入賞装置１１を配設したパチンコ機１の遊技を、第６図（Ａ）、（Ｂ）に示すフローチャートを参照して簡単に説明する。
　パチンコ機１は、電源の投入により作動を開始する。尚、変動入賞装置１１は、初期状態で可動部材としての可動片２６の開閉用ソレノイド（図示せず）が消磁されており、該可動片２６が起立状態にあり、凹室２５と遊技部８とを区画して遊技者に不利な第１状態にある。
　そして、遊技者が発射した打球が遊技部８に配設した権利入賞口１４に流入して当該権利入賞口１４に臨ませた権利スイッチ４７がオンすると、権利フラグの状態を判別し、権利フラグがセットされていなければ権利フラグをセットし、権利フラグがセットされた状態にあれば権利フラグをクリアする。
　また、遊技者が発射した打球が第１始動口１２ａ又は第２始動口１２ｂに入球して当該始動口１２に臨ませた第１始動スイッチ（始動Ｉｓｗ）又は第２始動スイッチ（始動ＩＩｓｗ）がオンすると、可動部材としての可動片２６を２回又は１回開閉する可動片２回開閉処理及び可動片１回開閉処理を行なう。
　そして、可動片２６が開いて球が凹室２５に流入し、この球が更に特別入賞口３２へ入球して継続スイッチがオンすると上記可動片開閉処理をクリアして▲ａ▼の処理へ分岐する。一方、継続スイッチ３４のオンがなく可動片２６の開閉処理が終了するまでは上記権利スイッチ４７を監視し、権利スイッチ４７がオンしたならば権利フラグを反転させる。即ち、権利フラグがセットされていなければ権利フラグをセットし、権利フラグがセットされた状態にあれば権利フラグをクリアする。そして、上記継続スイッチ３４のオンを待ち、可動片２６の開閉処理が終了したならば、継続スイッチ３４のＶ有効タイマ、即ち継続スイッチ３４の有効タイムをセットする。この有効タイム中に第１始動スイッチＩｓｗ又は第２始動スイッチＩＩｓｗがオンした場合には▲１▼又は▲２▼の処理に復帰して可動片２６の開閉処理を行なう。また、継続スイッチ３４がオンした場合には当該Ｖ有効タイマをクリアして▲ａ▼の処理へ分岐する。尚、Ｖ有効タイマ中は権利スイッチ４７を監視し、権利スイッチ４７がオンしたら権利フラグを反転させる。そして、Ｖ有効タイマが終了したならば▲３▼の処理に復帰して権利入賞口１４の入球を待つ。
　上記のように継続スイッチ３４がオンして分岐する▲ａ▼の処理は、遊技者に有利にゲームが展開する特別遊技の処理であって、可動片２６の開閉開始を所定時間遅延させるＶウエイトタイマをセットし、このウエイトタイマが終了したら、継続カウンタを「１」とすると共に、１０カウントカウンタをクリアして、可動片２６の１８回の開閉処理を開始する。このとき権利フラグがセットされていれば、入賞確率変動装置３９の駆動用ソレノイド４６を励磁して第４図に二点鎖線で示すように、球受部材４１を起立させて当該球受部材４１と側壁部４２との間に球を保留可能とする（以下、この状態を保留ストッパ作動という）。
　そして、上記可動片２６の開閉処理中に、遊技部８を流入する球が可動片２６により凹室２５へ取り込まれ、上部傾斜板３６から下部傾斜板３８に落下し、更にこの球が特別入賞口３２に流入して継続スイッチ３４をオンさせる。このとき、継続カウンタが「７」以下の場合は特別遊技のサイクル更新を行なう。即ち、可動片２６の１８回の開閉処理をクリアし、保留ストッパが作動しているならば解除し、Ｖウエイトタイマをセットして所定のウエイト時間が経過したのち、継続カウンタを「＋１」して、▲ｄ▼の処理へ復帰する。
　一方、継続スイッチ３４がオンしない場合、又は継続カウンタが「８」の場合には、１０カウントカウンタが「５」になると保留ストッパの作動を解除する。即ち、駆動用ソレノイド４６を消磁して連動枠４３を可動させるとラック部４４と噛合する球受部材４１が回動して、球受部材４１を側壁部４２と平行に位置させ、球受部材４１と側壁部４２との間に保留した球を放球する。そして、可動片２６の１８回の開閉が終了するか、１０カウントカウンタが「１０」になると、可動片２６の１８回開閉処理をクリアする。尚、保留ストッパが作動している場合にはこの作動を解除する。そして、エンドウエイトタイマをセットし、このエンドウエイトタイムが終了したら継続カウンタをクリアして権利入賞口１４の入球を待つ▲３▼の処理へ復帰する。一方、エンドウエイトタイムが終了する以前に、継続スイッチ３４がオンし、且つ継続カウンタが「８」でなければ、▲４▼の処理へ分岐してＶウエイトタイムをセットし、このＶウェイトタイムの終了後、継続カウンタを「＋１」すると共に、▲ｄ▼の処理へ復帰して新たに１８回の可動片２６の開閉処理を開始する。即ち、サイクルの更新を行なう。
　上記のような遊技によれば、権利スイッチ４７がオンして権利フラグがセットされていると、可動片２６の開閉処理の開始と共に、保留ストッパを作動させて球を保留可能とし、１０カウントカウンタが「５」になると、上記保留ストッパの作動を解除して保留した球を放球するので、球が特別入賞口３２へ入り易くなり、特別入賞口３２へ入球する期待感が高まる。また、サイクルの更新が凹室２５へ充分に球を取り込んでから行なわれるので、許容される範囲内で多数の賞球を獲得することができ、遊技者に充分な満足感を与えることができる。
　尚、この実施例においては、権利入賞口１４へ入球して権利スイッチ４７がオンするごとに、権利フラグを反転させているが、特別遊技中は権利スイッチ４７を監視していないので、一旦、権利フラグがセットされると特別遊技中に、権利が消滅することがなく、遊技者に極めて有利にゲームが展開する。
　また、前記した変動入賞装置１１は、駆動用ソレノイド４６のストロークを変更することにより、特別入賞口３２の入賞確率に変化を与えることができる。即ち、駆動用ソレノイド４６を励磁すると連動枠４３が変動入賞装置１１の見込み方向に摺動して球受部材４１が先端をほゞ特別入賞口３２へ向けた横ハ字状に回動し、下部傾斜板３８の上面を転動ずる球を特別入賞口３２へ誘導可能にするのである（第４図中、一点鎖線の状態）。即ち、球受部材４１が誘導部材として機能する。
　次に、上記のような構成の変動入賞装置１１を配設したパチンコ機１の遊技を、第７図（Ａ）〜（Ｃ）以下に示すフローチャートを参照して簡単に説明する。
　パチンコ機１は、電源の投入により作動を開始する。尚、変動入賞装置１１は、初期状態で可動片２６の開閉用ソレノイドが消磁されており、該可動片２６が起立状態にあり、凹室２５と遊技部８とを区画して遊技者に不利な第１状態にある。
　そして、遊技者が発射した打球が遊技部８に配置した権利入賞口１４に流入して当該権利入賞口１４に臨ませた権利スイッチ４７がオンすると、権利フラグの状態を判別し、権利フラグがセットされていなければ権利フラグをセットし、権利フラグがセットされた状態にあれば権利フラグをクリアする。
　また、遊技者が発射した打球が第１始動口１２ａ又は第２始動口１２ｂに入球して当該始動口１２…に臨ませた第１始動スイッチ（始動Ｉｓｗ）又は第２始動スイッチ（始動ＩＩｓｗ）がオンすると、可動部材としての可動片２６を２回又は１回開閉する可動片２回開閉処理及び可動片１回開閉処理を行なう。
　そして、可動片２６が開いて球が凹室２５に流入し、この球が特別入賞口３２へ入球して継続スイッチ３４がオンすると上記可動片２６の開閉処理をクリアして▲ａ▼の処理へ分岐する。一方、継続スイッチ３４のオンがなく可動片２６の開閉処理が終了するまでは上記権利スイッチ４７を監視し、権利スイッチ４７がオンしたならば権利フラグを反転させる。そして、上記継続スイッチ３４のオンを待ち、可動片２６の開閉処理が終了したならば、継続スイッチ３４のＶ有効タイマをセットする。この有効タイム中に第１始動スイッチＩｓｗ又は第２始動スイッチＩＩｓｗがオンした場合には▲１▼又は▲２▼の処理に復帰して可動片２６の開閉処理を行なう。また、継続スイッチ３４がオンした場合には当該Ｖ有効タイマをクリアして▲ａ▼の処理へ分岐する。尚、Ｖ有効タイマ中は権利スイッチ４７を監視し、権利スイッチ４７がオンしたら権利フラグを判定して、権利フラグがセットされていなければ権利フラグをセットし、権利フラグがセットされた状態にあれば権利フラグをクリアする。そして、Ｖ有効タイマが終了したならば▲３▼の処理に復帰して権利入賞口１４の入球を待つ。
　上記のように継続スイッチ３４がオンして分岐する▲ａ▼の処理では、可動片２６の開閉開始を所定時間遅延させるＶウエイトタイマをセットし、このウエイトタイマが終了したら、継続カウンタを「１」とすると共に、１０カウントカウンタをクリアして、可動片２６の１８回の開閉処理を開始する。また、権利入賞口１４の入球を監視し、権利フラグを判定して、権利フラグがセットされていなければ権利フラグをセットし、権利フラグがセットされた状態にあれば権利フラグをクリアする。上記可動片２６の開閉処理中に、遊技部８を流入する球が可動片２６により凹室２５へ流入し、上部傾斜板３６から下部傾斜板３８に落下し、更にこの球が特別入賞口３２に流入して継続スイッチ３４をオンさせる。このとき、継続カウンタが「７」以下の場合はサイクルの更新となり▲ｂ▼の処理へ分岐する。▲ｂ▼の処理では、可動片２６の１８回の開閉処理をクリアし、球受部材４１から有る誘導部材が作動しているならば解除し、Ｖウエイトタイマをセットして所定のウエイト時間が経過したのち、継続カウンタを「＋１」して、▲ｄ▼の処理へ復帰する。また、Ｖウエイトタイム中は、権利スイッチ４７を監視し、権利スイッチ４７がオンしたときに、権利フラグを反転する。
　一方、継続スイッチ３４がオンしない場合、及び継続カウンタが「８」の場合には、可動片２６の開閉回数が「１０」になるか、１０カウントカウンタが「５」になると、権利フラグがセットされていれば、球受部材４１からなる誘導部材を作動させて、球を特別入賞口３２へ誘導可能とする。即ち、駆動用ソレノイド４６を励磁して連動枠４３を可動させるとラック部４４と噛合する誘導部材が回動して、誘導部材の先端を特別入賞口３２の方向へ向けて上部傾斜板３６を転動ずる球を特別入賞口３２へ誘導可能とする（第４図中、一点鎖線の状態）。そして、可動片２６の１８回の開閉が終了するか、１０カウントカウンタが「１０」になると、可動片２６の１８回開閉処理をクリアする。尚、誘導部材が作動している場合にはこの作動を解除する。そして、エンドウエイトタイマをセットし、このエンドウエイトタイムが終了したら継続カウンタをクリアして権利入賞口１４の入球を待つ▲３▼の処理へ復帰する。一方、エンドウエイトタイムが終了する以前に、権利スイッチ４７がオンしたならば権利フラグを反転させると共に、継続スイッチ３４を監視し、該継続スイッチ３４がオンし、且つ継続カウンタが「７」以下の場合には、▲４▼の処理へ分岐する。▲４▼の処理ではＶウエイトタイムをセットし、このＶウエイトタイムの終了後、継続カウンタを「＋１」すると共に、▲ｄ▼の処理へ復帰して新たに１８回の可動片２６の開閉処理を開始する。
　上記のような遊技によれば、権利スイッチ４７がオンして権利フラグがセットされていると、可動片２６の開閉回数が「１０」になるか、１０カウントカウンタ「５」になると、球受部材４１である誘導部材を作動させて特別入賞口３２へ球を誘導可能とする。従って、特別入賞口３２へ入球する期待感が高まり、サイクルの更新を凹室２５へ充分に球を取り込んでから行なうので、許容される範囲内で多数の賞球を獲得することができる。しかし、権利入賞口１４を特別遊技中も監視しており、権利スイッチ４７がオンすると、権利フラグの状態を反転させるので、権利フラグが消滅して誘導部材を作動させないこともあるので、遊技者とパチンコ店との利益バランスを図ることができる。
　更に、前記した変動入賞装置１１を用いて遊技者の意思に応じたタイミングで球受部材４１からなる誘導部材を作動させることもできる。即ち、パチンコ機１の内枠３の表面など、遊技者が操作可能な位置に操作ボタン４８を配置し、第８図（Ａ）〜（Ｃ）に示すフローチャートによって制御するのである。
　パチンコ機１は、電源の投入により作動を開始する。尚、変動入賞装置１１は、初期状態で可動片２６の開閉用ソレノイドが消磁されており、該可動片２６が起立状態にあり、凹室２５と遊技部８とを区画して遊技者に不利な第１状態にある。
　そして、遊技者が発射した打球が遊技部８に配置した権利入賞口１４に流入して当該権利入賞口１４に臨ませた権利スイッチ４７がオンすると、権利フラグの状態を判別し、権利フラグがセットされていなければ権利フラグをセットし、権利フラグがセットされた状態にあれば権利フラグをクリアする。
　また、遊技者が発射した打球が第１始動口１２ａ又は第２始動口１２ｂに入球して当該始動口１２…に臨ませた第１始動スイッチ（始動Ｉｓｗ）又は第２始動スイッチ（始動ＩＩｓｗ）がオンすると、可動部材としての可動片２６を２回又は１回開閉する可動片２回開閉処理及び可動片１回開閉処理を行なう。
　そして、可動片２６が開いて球が凹室２５に流入し、この球が特別入賞口３２へ入球して継続スイッチ３４がオンすると上記可動片２６開閉処理をクリアして▲ａ▼の処理へ分岐する。一方、継続スイッチ３４のオンがなく可動片２６の開閉処理が終了するまでは上記権利スイッチ４７を監視し、権利スイッチ４７がオンしたならば権利フラグを反転させる。そして、上記継続スイッチ３４のオンを待ち、可動片２６の開閉処理が終了したならば、継続スイッチ３４のＶ有効タイマをセットする。この有効タイム中に第１始動スイッチＩｓｗまたは第２始動スイッチＩＩｓｗがオンした場合には▲１▼又は▲２▼の処理に復帰して可動片２６の開閉処理を行なう。また、継続スイッチ３４がオンした場合には当該Ｖ有効タイマをクリアして▲ａ▼の処理へ分岐する。尚、Ｖ有効タイマ中は権利スイッチ４７を監視し、権利スイッチ４７がオンしたら権利フラグを判定して、権利フラグがセットされていなければ権利フラグをセットし、権利フラグがセットされた状態にあれば権利フラグをクリアする。そして、Ｖ有効タイマが終了したならば▲３▼の処理に復帰して権利入賞口１４の入球を待つ。
　上記のように継続スイッチ３４がオンして分岐する▲ａ▼の処理では、可動片２６の開閉開始を所定時間遅延させるＶウエイトタイマをセットし、このウエイトタイマが終了したら、継続カウンタを「１」とすると共に、１０カウントカウンタをクリアして、可動片２６の１８回の開閉処理を開始する。また、権利入賞口１４の入球を待ち、権利フラグを判定して、権利フラグがセットされていなければ権利フラグをセットし、権利フラグがセットされた状態にあれば権利フラグをクリアする。上記可動片２６の開閉処理中に、遊技部８を流入する球が可動片２６により凹室２５へ流入し、上部傾斜板３６から下部傾斜板３８に落下し、更にこの球が特別入賞口３２に流入して継続スイッチ３４をオンさせる。このとき、継続カウンタが「７」以下の場合はサイクルの更新となり▲ｂ▼の処理へ分岐する。▲ｂ▼の処理では、可動片２６の１８回の開閉処理をクリアし、誘導部材が作動しているならば解除し、Ｖウエイトタイマをセットして所定のウエイト時間が経過したのち、継続カウンタを「＋１」して、▲ｄ▼の処理へ復帰する。また、Ｖウエイトタイム中は、権利スイッチ４７を監視し、権利スイッチ４７がオンしたときに、権利フラグを反転する。
　一方、継続スイッチ３４がオンしない場合、及び継続カウンタが「８」の場合には、権利フラグを判定し、権利フラグがセットされていれば、操作ボタン４８の操作を有効とし、操作スイッチを監視する。そして、遊技者が操作ボタン４８を操作して操作スイッチがオンしたら誘導部材を作動させて、球を特別入賞口３２へ誘導可能とする。即ち、駆動用ソレノイド４６を励磁して連動枠４３を可動させるとラック部４４と噛合する誘導部材が回動して、誘導部材の先端を特別入賞口３２の方向へ向けて上部傾斜板３６転動する球を特別入賞口３２へ誘導可能とし、可動片２６の開閉回数が「１７」以下か、１０カウントカウンタが「９」以下の場合は▲ｃ▼の処理へ復帰して、権利入賞口１４及び特別入賞口３２への入球を待つ。一方、可動片２６の１８回の開閉が終了するか、１０カウントカウンタが「１０」になると、可動片２６の１８回開閉処理をクリアする。尚、誘導部材が作動している場合にはこの作動を解除する。そして、エンドウエイトタイマをセットし、このエンドウエイトタイムが終了したら権利入賞口１４の入球を待つ▲３▼の処理へ復帰する。エンドウエイトタイムが終了する以前に、権利スイッチ４７がオンしたならば、権利フラグを反転させると共に、継続スイッチ３４を監視し、該継続スイッチ３４がオンし、且つ継続カウンタが「７」以下の場合には、▲４▼の処理へ分岐する。▲４▼の処理ではＶウエイトタイムをセットし、このＶウエイトタイムの終了後、継続カウンタを「＋１」すると共に、▲ｄ▼の処理へ復帰して新たに１８回の可動片２６の開閉処理を開始する。
　上記のような遊技によれば、権利スイッチ４７がオンして権利フラグがセットされている状態では、遊技者は操作ボタン４８を操作することにより誘導部材を作動させて、凹室２５内へ流入した球を特別入賞口３２へ誘導可能とすることができる。従って、遊技者は任意のタイミングで誘導部材を作動させて球を特別入賞口３２へ誘導することで、継続スイッチ３４をオンさせて許容される範囲内で多数の賞球を獲得することができる。しかし、権利入賞口１４を常に監視しており、権利スイッチ４７がオンすると、権利フラグの状態を反転させるので、権利フラグが消滅して誘導部材の作動ができないこともあるので、遊技者とパチンコ店との利益バランスを図ることができる。
　尚、遊技者に権利フラグの状態を可視表示するために、遊技部８に表示ランプを設けたり、操作ボタン４８にランプ内蔵させておくなど、適宜な表示手段を設けておくとよい。
　以上、本発明を図示の実施例について説明したが、本発明は上記した各実施例に限定されるものではなく、特許請求の範囲に記載された構成を変更しない限り適宜に実施できる。例えば、実施例では権利入賞口へ入賞した球を遊技盤の後方へ取り込んでいるが、この権利入賞口を通過型の球検出器を有する所謂チャッカ形式としてもよい。また、入賞確率変動装置は翼片状の球受部材をソレノイドにより作動させているが、他の構造、例えば球受部材を回転体としたり、駆動源としてモータ等を適用することもできる。
〈発明の効果〉
　以上要するに本発明は、遊技盤表面に形成した遊技部に、可動部材の可動により、遊技者に不利にゲームが展開する第１状態と遊技者に有利にゲームが展開する第２状態とに変換可能で、且つ飛入した全ての球に対して賞球を付与する変動入賞装置を設け、該変動入賞装置には上記第２状態を継続させる継続スイッチが臨む特別入賞口と一般入賞口とを設けると共に、上記特別入賞口の入賞確率に変化を与える入賞確率変動装置を設け、該入賞確率変動装置を遊技部に配設した権利入賞口に臨ませた権利スイッチの出力に
上記変動入賞装置が第２状態に変換する特別遊技中は当該権利スイッチを監視しないように
【図面の簡単な説明】
　図面は本発明の実施例を示し、第１図はパチンコ機の正面図、第２図は変動入賞装置の概略正面図、第３図は同上の縦断面図、第４図は第３図のＩＶ−ＩＶ線断面図、第５図は電気的制御装置のブロック図、第６図（Ａ）〜（Ｂ）は第１実施例のフローチャート、第７図（Ａ）〜（Ｃ）は第２実施例のフローチャート、第８図（Ａ）〜（Ｃ）は第３実施例のフローチャートである。
　１…パチンコ機、５…遊技盤、１１…変動入賞装置、１４…権利入賞口、３２…特別入賞口、３３…一般入賞口、３４…継続スイッチ、４７…権利スイッチ。